(57)【要約】【課題】サッシ窓を閉じた状態で位置調整することができ、調整にかかる作業手間の軽減を図ることができるクレセント受け、およびこれを備えたサッシ窓を提供すること。【解決手段】外召合せ框１９に固定した固定部材３２に、見付け方向に沿って位置調整可能に受け部材３３を固定して、クレセント受け３１を構成するとともに、サッシ窓を閉じた状態において、受け部材３３を固定部材３２に固定する固定手段３５を、室内側に露出し、かつ室内側から操作可能な位置に設けたので、障子１５を移動させたり、窓枠から取り外したりする必要がなく、障子１５を閉じたままの状態で位置調整作業を実施でき、位置調整にかかる作業手間の軽減を図ることができる。【選択図】  図３
2004353239.tif 000002
【特許請求の範囲】
【請求項１】
サッシ窓の内召合せ框に回動自在に設けられたクレセントに係合して当該サッシ窓を施錠するクレセント受けであって、
外召合せ框に固定された固定部材と、この固定部材に対して見付け方向に位置調整可能に固定され、かつ前記クレセントに係合する係合フックを有した受け部材とを備え、
前記受け部材を前記固定部材に固定する固定手段は、前記サッシ窓を閉じた状態において、室内側に露出し、かつ室内側から操作可能な位置に設けられているクレセント受け。
【請求項２】
サッシ窓の内召合せ框に回動自在に設けられたクレセントに係合して当該サッシ窓を施錠するクレセント受けであって、
外召合せ框に固定された固定部材と、この固定部材に対して見付け方向に位置調整可能に固定され、かつ前記クレセントに係合する係合フックを有した受け部材とを備え、
前記受け部材を前記固定部材に固定する固定手段は、前記固定部材および受け部材のいずれか一方に設けられ、かつ当該受け部材の位置調整方向に沿って長く形成された長孔と、この長孔に挿通され、かつ前記固定部材および受け部材の他方に螺合されたビスとを備えて構成され、
前記ビスの頭部は、前記サッシ窓を閉じた状態において、室内側に露出し、かつ室内側から操作可能な位置に設けられているクレセント受け。
【請求項３】
前記長孔の内周面のうち、前記位置調整方向に沿った内周面には、当該長孔に挿通される前記ビスを位置決めする少なくとも１つの突起が設けられ、
前記受け部材は、前記位置調整方向に沿った少なくとも２箇所に位置決め可能に構成されている請求項２に記載のクレセント受け。
【請求項４】
前記固定手段は、２箇所に設けられており、
一方の固定手段は、施錠位置に回動された前記クレセントに対して見込み方向に重なる位置に設けられ、他方の固定手段は、開錠位置に回動された状態の前記クレセントに対して見込み方向に重なる位置に設けられている請求項１ないし請求項３のいずれかに記載のクレセント受け。
【請求項５】
請求項１ないし請求項４のいずれかに記載のクレセント受けと、上枠、下枠、および左右の縦枠を有する窓枠と、この窓枠内側に開閉自在に支持された室内側および室外側の引違い形式の障子とを備え、
前記クレセント受けが、前記室外側の障子を構成する外召合せ框に取り付けられているサッシ窓。
【請求項６】
請求項１ないし請求項４のいずれかに記載のクレセント受けと、上枠、下枠、および左右の縦枠を有する窓枠と、この窓枠に固定された固定面材と、この固定面材の室外側または室内側において開閉自在に前記窓枠内側に支持された片引き形式の可動障子とを備え、
前記クレセント受けが、前記固定面材または可動障子を構成する外召合せ框に取り付けられているサッシ窓。
【発明の詳細な説明】
【０００１】
【発明の属する技術分野】
本発明は、クレセント受け、およびこれを備えたサッシ窓に関する。詳しくは、サッシ窓の内召合せ框に回動自在に設けられたクレセントに係合してサッシ窓を施錠するクレセント受け、およびこれを備えたサッシ窓に関する。
【０００２】
【背景技術】
従来より、引違い窓や片引き窓、上げ下げ窓等の、窓枠内部に可動障子が設けられ、この可動障子が見付け方向に沿って開閉可能に支持されたサッシ窓がある。このようなサッシ窓において、可動障子を閉じた状態で施錠する施錠手段として、内外の召合せ框に設けられ、互いに係合することで障子を開閉不能にするクレセントおよびクレセント受けが一般的に利用されている。
このようなクレセントおよびクレセント受けでは、内召合せ框にクレセントが回動自在に取り付けられ、外召合せ框にクレセント受けが取り付けられている。そして、クレセントを回動し略半円形状に形成されたフックを、クレセント受けに設けられた受けフックに係合することで、可動障子の移動を規制して、施錠できるように構成されている。
【０００３】
このようなクレセントおよびクレセント受けにおいて、窓枠および障子の加工、組立精度や建物開口部への建て付け状態等に応じて、施錠状態における障子のがたつきが生じないようにするために、係合するフックの位置を調整可能に構成されたクレセント受けが提案されている（例えば、特許文献１、２参照）。
【０００４】
特許文献１、２に記載されたクレセント受け（クレセント受金具）は、いずれも一端側に受けフックを備え、他端側に長孔を備えており、他端側を外召合せ框の室内側面に沿って外召合せ框内に挿入し、長孔に挿通したビスを外召合せ框内に固定された裏金具（裏板）に螺合することで、外召合せ框に取り付けられている。そして、特許文献１のクレセント受けは、一端から他端へ向かう方向に平行な二辺が、裏金具に形成された２つの突片に沿って取り付けられ、これらの突片に案内されるようになっている。また、特許文献２のクレセント受けには、一端から他端へ向かう方向に延びた打出部が形成され、この打出部が裏板に設けられた凹溝に嵌合して、クレセント受けが打出部の延出方向に案内されるようになっている。
このような特許文献１、２のクレセント受けでは、ビスを緩めることで、長孔に沿った方向にクレセント受けを移動させ、外召合せ框に対して進退移動させることができ、クレセント受けの位置調整が可能になっている。
【０００５】
【特許文献１】
実開昭６０−８２０６５号公報
【特許文献２】
実開昭５５−５１９４６号公報
【０００６】
【発明が解決しようとする課題】
しかしながら、特許文献１、２に記載されたクレセント受けは、いずれもクレセント受けを裏金具（裏板）に固定するビスが、外召合せ框の室内側面、すなわち、内召合せ框との対向側面位置に設けられており、サッシ窓を閉じた状態において、ビスの頭部が内召合せ框に覆われるので、室内側から締め付け、または緩める操作をすることができなくなっている。
このため、クレセント受けの位置調整を実行するためには、引違い窓においては、室外側の障子の召合せ框を、室内側の障子の反対側（戸先框側）まで移動させるか、室外側の障子を外さなければならない。また、片引き窓においては、障子を移動させてもビスを操作できず、障子を外してクレセント受けの位置調整を実行しなければならない。従って、クレセント受けの位置調整作業に手間が掛かるという問題がある。
【０００７】
本発明の目的は、サッシ窓を閉じた状態で位置調整することができ、調整にかかる作業手間の軽減を図ることができるクレセント受け、およびこれを備えたサッシ窓を提供することにある。
【０００８】
【課題を解決するための手段】
本発明のクレセント受けは、サッシ窓の内召合せ框に回動自在に設けられたクレセントに係合して当該サッシ窓を施錠するクレセント受けであって、外召合せ框に固定された固定部材と、この固定部材に対して見付け方向に位置調整可能に固定され、かつ前記クレセントに係合する係合フックを有した受け部材とを備え、前記受け部材を前記固定部材に固定する固定手段は、前記サッシ窓を閉じた状態において、室内側に露出し、かつ室内側から操作可能な位置に設けられていることを特徴とする。
【０００９】
ここで、受け部材が位置調整される見付け方向とは、室内外方向（見込み方向）に直交する方向であって、障子の開閉方向（引違い窓や片引き窓における水平方向、上げ下げ窓における垂直方向）に沿った方向であることが望ましい。また、障子開閉方向の交差方向（引違い窓や片引き窓における垂直方向、上げ下げ窓における水平方向）について、位置調整可能に受け部材を構成してもよい。
また、室内側に露出した位置とは、内召合せ框に対して見込み方向に重ならない位置を意味する。
【００１０】
このような構成によれば、サッシ窓を閉じた状態で、室内側から受け部材の固定手段を操作することで、固定部材に対して受け部材の位置調整を実行することができる。従って、障子を移動させたり、窓枠から取り外したりする必要がなく、サッシ窓を閉じたままの状態で位置調整作業を実施できるので、位置調整にかかる作業手間の軽減を図ることができる。
【００１１】
また、本発明のクレセント受けは、サッシ窓の内召合せ框に回動自在に設けられたクレセントに係合して当該サッシ窓を施錠するクレセント受けであって、外召合せ框に固定された固定部材と、この固定部材に対して見付け方向に位置調整可能に固定され、かつ前記クレセントに係合する係合フックを有した受け部材とを備え、前記受け部材を前記固定部材に固定する固定手段は、前記固定部材および受け部材のいずれか一方に設けられ、かつ当該受け部材の位置調整方向に沿って長く形成された長孔と、この長孔に挿通され、かつ前記固定部材および受け部材の他方に螺合されたビスとを備えて構成され、前記ビスの頭部は、前記サッシ窓を閉じた状態において、室内側に露出し、かつ室内側から操作可能な位置に設けられていることを特徴とした構成が採用できる。
【００１２】
このような構成によれば、長孔および長孔に挿通されたビスによって、受け部材を長孔の長手方向（受け部材の位置調整方向）に沿って案内することができるとともに、ビスを締め付ければ受け部材を固定部材に固定することができる。そして、サッシ窓を閉じた状態で、室内側からビスの頭部を操作してビスを緩めることで、固定部材に対して受け部材の位置調整を実行することができるので、障子を移動させたり、窓枠から取り外したりする必要がなく、位置調整にかかる作業手間の軽減を図ることができる。
また、受け部材を固定部材に固定する場合には、ビスを締め付けるだけでよく、また、位置調整する場合には、ビスを緩めるだけでよいため、複雑な手順や工具を不要にして、位置調整作業を容易に実行することができる。
【００１３】
この際、本発明のクレセント受けでは、前記長孔の内周面のうち、前記位置調整方向に沿った内周面には、当該長孔に挿通される前記ビスを位置決めする少なくとも１つの突起が設けられ、前記受け部材は、前記位置調整方向に沿った少なくとも２箇所に位置決め可能に構成されていることが好ましい。
このような構成によれば、長孔の内周面に設けられた突起によりビスを位置決めすることで、受け部材を固定部材に対して複数段階に位置決めできるので、位置調整作業をさらに容易に実行することができる。また、ビスの締め代によらず、突起で位置決めすることで、通常使用時において受け部材をずれにくくすることができ、調整位置を良好に維持させることができる。
【００１４】
また、本発明のクレセント受けでは、前記固定手段は、２箇所に設けられており、一方の固定手段は、施錠位置に回動された前記クレセントに対して見込み方向に重なる位置に設けられ、他方の固定手段は、開錠位置に回動された状態の前記クレセントに対して見込み方向に重なる位置に設けられていることが好ましい。
【００１５】
ここで、クレセントは、通常、略半円形状（三日月形状）のフックと、このフックの円弧一端側に固定され、回動軸から離れる方向に延びたレバーとを備えて構成されており、引違い窓や片引き窓では、水平な回動軸回りに縦方向に回動操作され、上げ下げ窓では、垂直な回動軸回りに横方向に回動操作される。このようにクレセントが回動操作された施錠位置または開錠位置において、レバーは、障子の開閉方向に沿った回動軸と交差する一方側（引違い窓や片引き窓では、上方または下方、上げ下げ窓では、左右いずれかの側）に位置することとなる。従って、固定手段を、施錠または開錠位置に回動されたクレセントのレバーに対して見込み方向に重なる位置に設けるように構成してもよい。
【００１６】
このような構成によれば、固定手段を施錠位置または開錠位置に回動されたクレセントに対して見込み方向に重なる位置、すなわち、室内側から見てクレセントによって隠される位置に設けた。これにより、障子の開閉方向について召合せ框に近く、かつクレセントの回動方向についても回動軸に近い位置に設けた固定手段で、受け部材を固定することができ、受け部材および固定部材を必要最小限の大きさで形成することができる。さらに、受け部材の固定手段のうちの一方が、施錠位置または開錠位置に回動されたクレセントに隠されることで、室内側からの内観上、固定手段が目立たず、意匠性を向上させることができる。
また、クレセントを施錠位置または開錠位置に回動すれば、２箇所の固定手段のうちの一方または他方がクレセントに重ならず、室内側から操作可能に構成できるので、クレセントが位置調整操作の邪魔にならず、調整作業を容易に実行することができる。
【００１７】
一方、本発明のサッシ窓は、前記したいずれかのクレセント受けと、上枠、下枠、および左右の縦枠を有する窓枠と、この窓枠内側に開閉自在に支持された室内側および室外側の引違い形式の障子とを備え、前記クレセント受けが、前記室外側の障子を構成する外召合せ框に取り付けられていることを特徴とする。
【００１８】
また、本発明のサッシ窓は、前記したいずれかのクレセント受けと、上枠、下枠、および左右の縦枠を有する窓枠と、この窓枠に固定された固定面材と、この固定面材の室外側または室内側において開閉自在に前記窓枠内側に支持された片引き形式の可動障子とを備え、前記クレセント受けが、前記固定面材または可動障子を構成する外召合せ框に取り付けられていることを特徴とする構成を採用することができる。
【００１９】
ここで、室内外の障子、または可動障子の開閉方向を水平にすれば、通常の引違い窓、または片引き窓が構成され、開閉方向を垂直にすれば、引違い形式の上げ下げ窓、または片引き形式の上げ下げ窓が構成されるようになっている。
【００２０】
このような構成によれば、上述したクレセント受けが奏する作用効果と同様の作用効果を有したサッシ窓としての引違い窓、片引き窓、および上げ下げ窓を構成することができる。
【００２１】
【発明の実施の形態】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。また、各図においては、主要構成部品の断面を示すハッチングが省略されている。
【００２２】
〔第１実施形態〕
本発明の第１実施形態に係るサッシ窓としての片引き窓について、図１ないし図６に基づいて説明する。
図１、図２は、本実施形態の片引き窓１０を示す縦断面図、および横断面図である。図３、図４は、片引き窓１０の召合せ部２７を拡大して示す横断面図、および縦断面図である。図５は、片引き窓１０に設けられたクレセント受け３１を示す側面図である。図６（Ａ），（Ｂ）は、クレセント受け３１の位置調整手順を示す側面図である。
【００２３】
図１および図２において、建物の室内外空間を仕切る片引き窓１０は、それぞれアルミ押出形材製の上枠１１、下枠１２、および左右の縦枠１３を四周枠組みした窓枠１４と、この窓枠１４の内側に開閉自在に支持された可動障子１５と、窓枠１４の内側に固定された固定面材としての固定障子２２とを備えて構成されている。窓枠１４は、建物の外壁や柱等の躯体に固定されている。可動障子１５は、それぞれアルミ押出形材製の上框１６、下框１７、左右の縦框１８，１９、および縦框１８，１９同士を連結する中桟２０を略日字形に框組みした内部に、ガラスパネル２１を嵌め込んで構成されている。ガラスパネル２１は、単板ガラスからなり、上框１６、下框１７、左右の縦框１８，１９、および中桟２０に対してガスケット２１Ａを介して固定されている。
【００２４】
可動障子１５は、固定障子２２の室外側面に沿って開閉移動可能に支持されている。すなわち、可動障子１５は、上枠１１の長手方向に沿って形成されたガイド片１１１に上框１６が案内され、下枠１２の上面に立設されたガイドレール１２１に下框１７の戸車１７１が案内されて、窓枠１４の水平見付け方向（図２中、左右方向）に開閉可能に構成されている。
【００２５】
固定障子２２は、左右の縦框２３，２４、および縦框２３，２４同士を連結する中桟２５を備え、上枠１１、下枠１２、縦框２３，２４、および中桟２５で囲まれた内部にガラスパネル２６を嵌め込んで構成されている。ガラスパネル２６は、単板ガラスからなり、上枠１１、下枠１２、縦框２３，２４、および中桟２５に対してシール材２６Ａを介して固定されている。固定障子２２の縦框２３は、上枠１１および下枠１２間に架設され、上下端部が上枠１１および下枠１２に固定されている。縦框２４は、縦枠１３に沿って設置され、縦枠１３にビス止め固定されている。すなわち、固定障子２２の縦框２３，２４、中桟２５、およびガラスパネル２６は、窓枠１４に対して移動不能に構成されている。
【００２６】
片引き窓１０は、可動障子１５が窓枠１４の見付け方向略中央位置の召合せ部２７で固定障子２２に重なって、閉じるようになっている。この召合せ部２７には、可動障子１５を閉じた状態で、可動障子１５の縦框１９と、固定障子２２の縦框２３とが、室内外方向（見込み方向）に対向して配置された召合せ框が構成されている。すなわち、縦框１９で外召合せ框が構成され、縦框２３で内召合せ框が構成されている。
また、召合せ部２７の縦框１９，２３同士の間には、室内空間の気密性を確保する気密材（ＡＴ材）２８が設けられている。このＡＴ材２８は、可動障子１５の縦框１９室内側面に形成された凹溝状の取付部に係合され、先端部を固定障子２２の縦框２３室外側面に当接するようになっている。
【００２７】
図３および図４において、固定障子２２の縦框（内召合せ框）２３には、クレセント３０が設けられ、可動障子１５の縦框（外召合せ框）１９には、クレセント３０に係合するクレセント受け３１が設けられている。クレセント３０は、固定障子２２の水平見付け方向外側、すなわち、可動障子１５を閉じた状態で可動障子１５の内方側となる、縦框２３の見込み方向に沿った側面に取り付けられている。また、クレセント受け３１は、可動障子１５の縦框１９から水平見付け方向内側に突出して、縦框１９に取り付けられている。
【００２８】
クレセント３０は、固定障子２２の縦框２３に固定されたベース部材３０１と、このベース部材３０１に回動軸Ａを中心として回動自在に取り付けられた回動部材３０２とを備えて構成されている。回動部材３０２は、回動軸Ａ回りに略半円形状に形成された半円形フック３０３と、回動軸Ａから半円形フック３０３の一端部を超えて延出するレバー３０４とから一体に形成されている。そして、クレセント３０は、レバー３０４を回動軸Ａを中心とした縦方向（図４中、矢印で示す方向）に略１８０度回動することで、半円形フック３０３がクレセント受け３１に係合する施錠位置、および係合が解除される開錠位置間を操作可能に構成されている。
【００２９】
図５をも参照して、クレセント受け３１は、可動障子１５の縦框１９室内側面にビス止め固定された固定部材３２と、この固定部材３２に対して水平見付け方向（図５中、矢印で示す方向、可動障子１５の開閉方向）に位置調整可能に取り付けられた受け部材３３とを備えて構成されている。これらの固定部材３２および受け部材３３は、それぞれＳＵＳ製やアルミ製の板材から折り曲げ加工により形成されている。
固定部材３２は、縦框１９に固定される固定面部３２１と、この固定面部３２１よりも室外側にセットバックし、かつ上下２箇所に設けられた案内面部３２２と、２つの案内面部３２２間に設けられた凹部３２３とを備えて形成されている。２つの案内面部３２２には、水平見付け方向（位置調整方向）に沿って長く形成された長孔３２４が設けられている。これらの長孔３２４には、室内側からビス３４が挿通されており、これらのビス３４は、受け部材３３に螺合されている。
【００３０】
受け部材３３は、固定部材３２の案内面部３２２間に渡って上下に延び、案内面部３２２の室外側面にビス３４で取り付けられている。受け部材３３の上下方向中間位置で、縦框１９の反対側の位置には、クレセント３０の半円形フック３０３に係合する係合フック３３１が設けられている。この係合フック３３１は、受け部材３３の板材を曲げ加工により室内側に折り曲げるとともに、縦框１９側に折り曲げて、断面略Ｌ字形に形成されている。そして、係合フック３３１は、固定部材３２の凹部３２３に対応した位置に設けられており、半円形フック３０３を係合する際に、半円形フック３０３が固定部材３２に当たらないようになっている。また、受け部材３３の上下端部には、室内側に折り曲げられた折曲部３３２が形成されており、これらの折曲部３３２は、固定部材３２の案内面部３２２上下端縁に摺動可能に当接している。
【００３１】
また、受け部材３３は、ビス３４を締め付けた状態において、ビス３４の頭部と長孔３２４周辺の案内面部３２２との間、および案内面部３２２と受け部材３３との間の摩擦抵抗により、固定部材３２に対する移動が規制されている。一方、ビス３４を緩めることで、受け部材３３は、固定部材３２に対して長孔３２４の長手方向に沿って移動可能になっている。すなわち、受け部材３３を位置調整可能に固定する固定手段３５が、長孔３２４およびビス３４で構成されている。また、受け部材３３を位置調整方向に沿って移動させる際、折曲部３３２が案内面部３２２上下端縁に沿って摺動することで、受け部材３３が傾かないようになっている。
【００３２】
以上のように長孔３２４およびビス３４で構成された固定手段３５は、図３に示すように、召合せ部２７の縦框（内召合せ框）２３と見込み方向に重ならない位置、すなわち、縦框２３の水平見付け方向外側面よりも外側に設けられており、室内側に露出して室内側からビス３４が操作可能になっている。また、２箇所の固定手段３５の水平見付け方向位置は、クレセント３０のレバー３０４と略同一位置、すなわち、レバー３０４に対して見込み方向に重なる位置となっている。さらに、図４に示すように、施錠位置または開錠位置に回動されたクレセント３０のレバー３０４（図中、二点鎖線で示す）に対して、２箇所の固定手段３５のうち、上側の固定手段３５は、施錠位置のレバー３０４と見込み方向に重なり、下側の固定手段３５は、開錠位置のレバー３０４と見込み方向に重なるようになっている。
【００３３】
次に、建物に窓枠１４を固定し、固定障子２２および可動障子１５を建て込んだ状態における、クレセント受け３１の位置調整手順を図６に基づいて説明する。クレセント３０の回動部材３０２を施錠位置に回動させた施錠状態が図６（Ａ）に示され、開錠位置に回動させた開錠状態が図６（Ｂ）に示されている。
先ず、図６（Ａ）に示すように、施錠状態において、スクリュードライバを用いて、下側のビス３４を緩める。これに続いて、図６（Ｂ）に示すように、開錠状態において、スクリュードライバを用いて、上側のビス３４を緩める。この際、ビス３４をクレセント受け３１から外す必要はなく、受け部材３３と固定部材３２およびビス３４の頭部との摩擦抵抗が小さくなり、受け部材３３を移動できる程度にビス３４を緩めるだけでよい。
次に、上下のビス３４を長孔３２４（図５）に沿って移動させ、受け部材３３の水平見付け方向に沿った位置を調整する。受け部材３３の位置が決まったら、上記と逆の手順で、上側および下側のビス３４を締め付け、上下の固定手段３５により受け部材３３の移動を規制する。
以上により、クレセント受け３１の位置調整が完了する。
【００３４】
なお、以上の本実施形態では、固定障子２２を備えた片引き窓１０について説明したが、固定障子２２に代えて可動障子が窓枠１４内側に開閉可能に支持された引違い窓であっても、上述した構成と略同様の構成を採用できる。すなわち、上記縦框（内召合せ框）２３を室内側の可動障子を構成する内召合せ框に置き換えることで、引き違い窓を構成できる。そして、引き違い窓において、室内外の可動障子を閉じた状態で、縦框（外召合せ框）１９に取り付けられたクレセント受け３１の位置調整を実行することができる。
【００３５】
このような本実施形態によれば、以下のような効果がある。
（１）  可動障子１５を閉じた状態で、室内側からビス３４を緩めて、受け部材３３を長孔３２４に沿って移動可能にすることで、固定部材３２に対して受け部材３３を可動障子１５の開閉方向に沿って位置調整することができる。従って、可動障子１５を移動させたり、窓枠１４から取り外したりする必要がなく、可動障子１５を閉じたままの状態でクレセント受け３１の位置調整作業を実施できるので、位置調整にかかる作業手間の軽減を図ることができる。
【００３６】
（２）  さらに、可動障子１５を閉じたままの状態でクレセント受け３１の位置調整作業を室内側から実施できるので、片引き窓１０が高所に取り付けられていても、足場等を用意する必要がなく、また悪天候時であっても位置調整作業を実行することができる。
【００３７】
（３）  また、受け部材３３に螺合されたビス３４が長孔３２４の長手方向に沿って案内されるとともに、折曲部３３２が固定部材３２の案内面部３２２上下端縁に沿って摺動することで、ビス３４を緩めて受け部材３３の移動の規制を解除しても、受け部材３３がずれたりすることなく、可動障子１５の開閉方向に沿って案内できるので、位置調整作業を迅速、かつ確実に実施することができる。
【００３８】
（４）  また、長孔３２４および長孔３２４に挿通されたビス３４によって、受け部材３３を長孔３２４の長手方向に沿って案内することができるとともに、ビス３４を締め付ければ受け部材３３を固定部材３２に固定することができる。従って、長孔３２４およびビス３４によって、受け部材３３を位置調整方向に沿って移動自在にするとともに、固定部材３２に固定する固定手段３５を構成することができる。
【００３９】
（５）  さらに、受け部材３３を固定部材３２に固定する場合には、ビス３４を締め付けるだけでよく、また、位置調整する場合には、ビス３４を緩めるだけでよいため、複雑な手順や工具が不要で、簡単に操作でき、位置調整作業を容易に実行することができる。また、位置調整時に、ビス３４を取り外す必要がないため、受け部材３３が脱落することなく、作業を容易かつ確実に実行することができる。
【００４０】
（６）  また、固定手段３５を施錠位置または開錠位置に回動されたクレセント３０に対して見込み方向に重なる位置に設けたので、可動障子１５の開閉方向について縦框（召合せ框）１９，２３に近く、クレセント３０の回動方向についても回動軸Ａに近い位置に、固定手段３５を設けることができ、受け部材３３および固定部材３２を必要最小限の大きさで形成することができる。さらに、クレセント３０に対して見込み方向に重なる位置に固定手段３５を設けたことで、室内側からの内観上、固定手段３５（ビス３４）が目立たず、意匠性を向上させることができる。
【００４１】
（７）  また、クレセント３０を施錠位置または開錠位置に回動すれば、上下２箇所の固定手段３５のうちの一方または他方はクレセント３０に重ならず、室内側から操作可能になるので、クレセント３０が位置調整操作の邪魔にならず、調整作業を容易に実行することができる。
【００４２】
（８）  また、受け部材３３の係合フック３３１に対応して固定部材３２に凹部３２３を形成したので、受け部材３３を位置調整して係合フック３３１が縦框（召合せ框）１９，２３に近い位置になっても、半円形フック３０３を係合する際に、半円形フック３０３が固定部材３２に当たらず、施錠操作をスムーズに実行できる。
【００４３】
〔第２実施形態〕
次に、本発明の第２実施形態に係るクレセント受けについて、図７に基づいて説明する。
図７は、第２実施形態のクレセント受け３１Ａを示す側面図である。
本実施形態のクレセント受け３１Ａは、固定部材３２に設けられた長孔３２４の形態が前述の第１実施形態と相違し、それ以外の構成は略同様である。以下、相違点について詳しく説明する。
【００４４】
図７において、クレセント受け３１Ａの固定部材３２Ａは、前述の第１実施形態と同様に、縦框１９に固定される固定面部３２１と、上下２箇所に設けられた案内面部３２２とを備えて形成されている。２つの案内面部３２２には、水平見付け方向（位置調整方向）に沿って長く形成された長孔３２４が設けられている。これら２箇所の長孔３２４のうち、上側の長孔３２４の内周上下面には、下方または上方に向かって突出する複数（本実施形態において、上下それぞれに３箇所ずつ）の突起３２４Ａが形成されている。これらの突起３２４Ａは、長孔３２４の内周上下面の対向位置に形成されており、上下に対向する突起３２４Ａの先端同士間は、ビス３４が挿通（通過）不能な間隔寸法になっている。すなわち、上側のビス３４は、長孔３２４に挿通された状態で、突起３２４Ａ部分を通過して長孔３２４の長手方向に沿った移動が規制され、突起３２４Ａによって複数段階（本実施形態では、４段階）に位置決めされるようになっている。
【００４５】
このようなクレセント受け３１Ａでは、次の手順で位置調整が実施される。
先ず、施錠状態において、スクリュードライバを用いて、下側のビス３４を緩める。これに続いて、開錠状態において、スクリュードライバを用いて、上側のビス３４を緩めて取り外す。この際、下側のビス３４をクレセント受け３１から外す必要はない。
次に、下側のビス３４を長孔３２４に沿って移動させ、受け部材３３の水平見付け方向に沿った位置を調整する。受け部材３３の位置が決まったら、上側のビス３４を突起３２４Ａ間または突起３２４Ａおよび長孔３２４端部間に形成された４つの位置決め箇所のいずれかに挿通し、受け部材３３に螺合する。そして上下のビス３４を締め付け、上下のビス３４により受け部材３３を固定部材３２Ａに固定する。
以上により、クレセント受け３１Ａの位置調整が完了する。
【００４６】
このような本実施形態によれば、前述の効果に合わせて以下のような効果がある。
（９）  長孔３２４の内周面に設けられた突起３２４Ａによりビス３４を位置決めすることで、受け部材３３を固定部材３２Ａに対して複数段階に位置決めできるので、位置調整作業をさらに容易に実行することができる。
【００４７】
（１０）  また、上側の長孔３２４に位置決め用の突起３２４Ａを形成し、下側の長孔３２４に突起を形成しないことで、位置調整時に、下側のビス３４を取り外す必要がないため受け部材３３が脱落することなく、下側のビス３４を緩めるだけで位置調整できるので、作業を容易かつ確実に実行することができる。
【００４８】
（１１）  さらに、ビス３４の締め代によらず、突起３２４Ａで位置決めすることで、通常使用時における移動を規制した状態では、受け部材３３をずれにくくすることができ、調整位置を良好に維持することができる。
【００４９】
〔第３実施形態〕
次に、本発明の第３実施形態に係るサッシ窓としての片引き窓４０について、図８に基づいて説明する。
図８は、第３実施形態の片引き窓４０の召合せ部４７を拡大して示す横断面図である。
本実施形態の片引き窓４０は、前述の第１実施形態における可動障子１５および固定障子２２とガラスパネル２１，２６との構成が相違し、それ以外の構成は略同様である。以下、相違点について詳しく説明する。
【００５０】
図８において、片引き窓４０は、水平見付け方向（図８中、左右方向）に開閉移動可能な室外側の可動障子４１と、開閉移動不能に固定された室内側の固定障子４４とを備えて構成されている。可動障子１５は、図示しない上框、下框、戸先側の縦框と、縦框（外召合せ框）４２と、ガラスパネル４３とを備えて構成されている。ガラスパネル４３は、複層ガラスからなり、上框、下框、左右の縦框４２に対してシール材４３Ａおよびバックアップ材４３Ｂを介して固定されている。固定障子４４は、縦框４５と、ガラスパネル４６とを備えて構成されている。ガラスパネル４６は、複層ガラスからなり、図示しない上枠、下枠、および縦框４５に対してシール材４６Ａおよびバックアップ材４６Ｂを介して固定されている。
【００５１】
召合せ部４７の縦框（外召合せ框）４２において、ガラスパネル４３がシール材４３Ａおよびバックアップ材４３Ｂに支持されているため、ガラスパネル４３が縦框４２にのみ込まれる見付け方向に沿ったのみ込み寸法が、前述の第１実施形態のようにガスケット２１Ａで支持された場合よりも大きくなっている。このため、クレセント受け３１の固定部材３２Ｂを縦框４２にビス止め固定する位置が、召合せ部４７の水平見付け方向奥側（図８中、右側）になっている。すなわち、固定部材３２Ｂの固定面部３２１は、シール材４３Ａおよびバックアップ材４３Ｂを避けた位置でビス止め固定され、受け部材３３から離れた方向へ長く延びて形成されている。この際、固定部材３２Ｂの案内面部３２２、固定手段３５の構成、および位置調整手順は、第１実施形態と同様であり、また受け部材３３、およびクレセント３０は、第１実施形態と同一の部材となっている。
【００５２】
このような本実施形態によれば、前述の効果に合わせて以下のような効果がある。
（１２）  縦框（外召合せ框）４２におけるガラスパネル４３の支持構造等の要因で、固定部材３２の固定位置が水平見付け方向に沿って変更された場合でも、固定部材３２の固定面部３２１を延長するだけで対応することができる。従って、固定手段３５、受け部材３３、およびクレセント３０等の部品の共通化、および位置調整手順の共通化を図ることができる。
【００５３】
なお、本発明は、前記各実施形態に限定されるものではなく、本発明の目的を達成できる他の構成等を含み、以下に示すような変形等も本発明に含まれる。
例えば、前記各実施形態では、可動障子１５，４１が水平見付け方向に沿って開閉操作される片引き窓１０，４０（または引違い窓）について説明したが、可動障子の開閉方向は水平見付け方向に限らず、垂直見付け方向としてもよい。このようにすれば、前述した作用効果を有する上げ下げ窓を構成することができる。この際、上げ下げ窓は、可動障子が室内外に設けられた引違い形式のものでもよく、固定障子と可動障子とから構成された片引き形式のものでもよい。
【００５４】
また、前記各実施形態の片引き窓１０，４０では、固定障子２２，４４を室内側に設け、この固定障子２２，４４の室外側に可動障子１５，４１を開閉可能に設けたが、これに限らず、室外側に固定障子を設け、その室内側に可動障子を設けてもよい。この際、クレセントを室内側の可動障子を構成する内召合せ框に取り付け、クレセント受けを室外側の固定障子を構成する外召合せ框に取り付ければよい。このような構成でも、室内側の可動障子を閉じた状態で、外召合せ框に取り付けられたクレセント受けの受け部材が位置調整可能となり、上述と同様の効果を得ることができる。
【００５５】
また、前記各実施形態の片引き窓１０，４０では、固定面材として、縦框２３，２４，４５およびガラスパネル２６，４６から構成された固定障子２２，４４を採用したが、これに限らず、壁パネル等から構成された壁体を固定面材として採用してもよい。この際、壁体の側端縁に内または外の召合せ框としての縦材を配置すればよく、また、壁体の室内側または室外側に可動障子を開閉可能に設ければよい。
【００５６】
また、本発明の固定手段の構成は、前記各実施形態に限定されるものではない。すなわち、固定手段は、ビスおよび長孔から構成されるものに限らず、例えば、互いに係合する溝および係合フック等から構成してもよい。さらに、固定手段を、室内側から操作可能な位置に設けた係合部（例えば、係合ピン）と、固定部材および受け部材を互いに摺動自在に係合する案内溝とで構成することができる。この際、案内溝は必ずしも室内側に露出した位置に設けられていなくてもよく、召合せ框の対向面間に位置していてもよい。
【００５７】
さらに、前記各実施形態では、クレセント３０を施錠位置および開錠位置間に回動させて、いずれかの位置におけるクレセント３０のレバー３０４と、見込み方向に重なる位置に固定手段３５が設けられていたが、これに限らず、固定手段は、室内側から操作可能で、かつ召合せ框に対して見込み方向に重ならない位置に設けられていればよい。ただし、回動させたクレセント３０と見込み方向に重なる位置に固定手段を設けることで、クレセント受けが目立たず、外観の意匠性を向上させることができるという、前述の作用効果を得ることができる。
【００５８】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【００５９】
【発明の効果】
以上に述べたように、本発明のクレセント受け、およびこれを備えたサッシ窓によれば、サッシ窓を閉じた状態で位置調整することができ、調整にかかる作業手間の軽減を図ることができるという効果がある。
【図面の簡単な説明】
【図１】本発明の第１実施形態に係る片引き窓を示す縦断面図である。
【図２】前記片引き窓を示す横断面図である。
【図３】前記片引き窓の召合せ部を拡大して示す横断面図である。
【図４】前記召合せ部を拡大して示す縦断面図である。
【図５】前記片引き窓に設けられたクレセント受けを示す側面図である。
【図６】（Ａ），（Ｂ）は、前記クレセント受けの位置調整手順を示す側面図である。
【図７】本発明の第２実施形態に係るクレセント受けを示す側面図である。
【図８】本発明の第３実施形態に係る片引き窓の召合せ部を拡大して示す横断面図である。
【符号の説明】
１０…サッシ窓である片引き窓、１１…上枠、１２…下枠、１３…縦枠、１４…窓枠、１５，４１…可動障子、１９，４２…外召合せ框である縦框、２２，４４…固定面材である固定障子、２３，４５…内召合せ框である縦框、３０…クレセント、３１，３１Ａ…クレセント受け、３２，３２Ａ，３２Ｂ…固定部材、３３…受け部材、３４…ビス、３５…固定手段、３２４…長孔、３２４Ａ…突起。
【図１】
2004353239.tif 000003
【図２】
2004353239.tif 000004
【図３】
2004353239.tif 000005
【図４】
2004353239.tif 000006
【図５】
2004353239.tif 000007
【図６】
2004353239.tif 000008
【図７】
2004353239.tif 000009
【図８】
2004353239.tif 000010